(57)【要約】【課題】品質管理が容易にできるマルチディスプレイシステムの品質管理システムを提供する。【解決手段】本発明のマルチディスプレイシステム１１の品質管理システム１０は、２つのディスプレイ３２、３４を有する表示デバイス３０と、各ディスプレイ３２、３４の画素数と同じ画素数でテストパターンを表示させるパターン信号を発生するテストパターン発生部２２と、入力された画像データＤにソフトウエア的に所定の画像処理を施す画像データ処理部２１と、画像データＤをディスプレイ３２、３４による画像表示に対応する診断画像データに変換してディスプレイ３２、３４に供給し、診断画像をディスプレイ３２、３４に表示させる制御部２４とを有し、制御部２４は、品質管理を行う場合には、各ディスプレイ３２、３４ごとにテストパターン８０を表示させることにより、目視試験などの品質管理をディスプレイ３２、３４ごとに容易にできる。【選択図】図１
2004245899.tif 000002
【特許請求の範囲】
【請求項１】
複数のディスプレイと、
前記各ディスプレイの画素数と同じ画素数でテストパターンを表示するパターン信号を発生するテストパターン発生部と、
入力された画像信号または前記パターン信号に基づいて前記各ディスプレイに入力画像または前記テストパターンを表示させる制御部とを有し、
前記各ディスプレイの品質管理を行う場合に、前記制御部は、前記各ディスプレイごとに前記パターン信号に基づくテストパターンを表示させることを特徴とするマルチディスプレイシステムの品質管理システム。
【請求項２】
前記制御部は、１つのディスプレイの画面を分割した小画面の数をも含めた前記複数のディスプレイの画面数、および前記小画面をも含めた前記複数のディスプレイの画面の配置が設定される設定部と、前記複数のディスプレイのうち、前記テストパターンを表示するディスプレイの画面を選択する選択部とを有する請求項１に記載のマルチディスプレイシステムの品質管理システム。
【請求項３】
前記制御部は、前記設定部により設定された前記画面数および前記画面の配置、ならびに前記複数のディスプレイの全画素数に基づいて各ディスプレイの画面の画素数を決定する請求項２に記載のマルチディスプレイシステムの品質管理システム。
【請求項４】
前記選択部による前記各ディスプレイの画面の選択は、前記設定部により設定された前記各ディスプレイの識別番号を指定するか、または前記各ディスプレイに表示されたポインタにより指示することによって行われる請求項２または３に記載のマルチディスプレイシステムの品質管理システム。
【請求項５】
前記テストパターンは、グレースケールパターン、解像度パターン、画面歪みパターン、カラーパターンおよびＳＭＰＴＥパターンの少なくとも１つであり、補間処理を施さずに前記ディスプレイに表示される請求項１乃至４のいずれか１項に記載のマルチディスプレイシステムの品質管理システム。
【発明の詳細な説明】
【０００１】
【発明の属する技術分野】
本発明は、マルチディスプレイシステムの品質管理システムに関し、特に、医療診断に使用されるモノクロ画像を表示するマルチディスプレイにおいて目視検査などの品質管理をディスプレイごとに容易にできるマルチディスプレイシステムの品質管理システムに関する。
【０００２】
【従来の技術】
ＭＲＩ診断装置、Ｘ線診断装置、またはＦＣＲ（富士コンピューテッドラジオグラフィー）などの医療用測定装置で撮影された診断画像は、通常、Ｘ線フィルムまたはフィルム感光材料などの光透過性の画像記録フィルムに記録され、光透過性の画像として再生される。この診断画像が再生されたフィルムは、シャーカステンと呼ばれる光源装置にセットされて、背面から光が照射された状態で観察され、診断が行われる。
これに対して、近年では、医療用測定装置で撮影した診断画像をＣＲＴ（Ｃａｔｈｏｄｅ  Ｒａｙ  Ｔｕｂｅ）またはＬＣＤ（液晶表示装置）などのディスプレイに表示して、観察し、診断することが行われている（電子シャーカステン）。
【０００３】
フィルムに再生した画像を用いて診断を行う場合には、言うなれば画像は固定されたものであり、シャーカステンの輝度または観察環境による若干の違いは有するものの、基本的に、同じ画像を観察して診断を行うことができる。
【０００４】
これに対して、ディスプレイ画像を用いて診断（以下、ディスプレイ診断という）を行う場合、固定されているのは画像データであって、表示画像、すなわち診断画像は、ディスプレイの種類または状態、および経時的な変動などによって変わってしまう。このような表示画像の違いは、誤診の原因とも成り得る重大な問題である。そのため、ディスプレイ診断を行う場合には、ディスプレイの状態を適正に保つための、ディスプレイの品質管理（以下、ＱＣともいう）が必要である。
【０００５】
近年、コンピュータネットワークの普及により、大病院および健康診断専門のクリニックなどにおいては、１台または複数台の診断装置による診察結果を、複数の異なるディスプレイで表示できる、画像表示システムが構築されることも多い。
【０００６】
また、１台のコンピュータ（以下、ＰＣという）に対してビデオカードなどを介して複数台のディスプレイを接続する、いわゆるマルチディスプレイシステムがある。このマルチディスプレイシステムを用いて、各ディスプレイごとに異なる診断画像を表示して、ディスプレイ診断することが行われており、さらに複数台のディスプレイを１つの画面としてディスプレイ診断することも行われている。
【０００７】
また、このような医療用に限らず、各種の画像表示システムにおいては、前述のようなＬＣＤの普及などによってディスプレイの選択肢が増え、ＣＲＴとＬＣＤなど、１つの画像表示システムに異なる種類の表示デバイスが利用されることも多い。また、画像サイズ（画素数）または画素サイズが異なるなど、１つの画像表示システムであっても、同じ種類ではあるものの、特性が異なる表示装置が利用されることも多い。
【０００８】
マルチディスプレイシステムのディスプレイのＱＣにおいても、ディスプレイの階調特性、または輝度などの状態を適正にする必要がある。この場合、ディスプレイの品質管理において、ＰＣ、ビデオカードまたはソフトウエアに設けられたルックアップテーブル（以下、ＬＵＴという）の設定を変更することにより、階調特性、または輝度などの状態が適正に保たれる。
このようなマルチディスプレイシステムにおいては、個々のディスプレイについて品質管理を行う必要がある。
【０００９】
【発明が解決しようとする課題】
マルチディスプレイシステムにおいては、ＰＣのオペレーティングシステム（以下、ＯＳという）、またはビデオカードのカードドライバがディスプレイの画素数を認識している。これらのＯＳまたはカードドライバで認識しているのは、マルチディスプレイシステムを構成するディスプレイの全画素数であり、複数のディスプレイがまとめて１つのディスプレイとして認識されている。
【００１０】
図１０は、従来のマルチディスプレイシステムにおける品質管理の一例として、目視検査をするためにテストパターンを表示した様子を示す模式図であり、図１１は、そのテストパターンを示す模式図である。
図１０に示すように、２つのディスプレイ１０２、１０４を有する表示デバイス１００に、図１１に示すようなテストパターン８０が表示されている。この場合、ＯＳまたはカードドライバは、２つのディスプレイ１０２、１０４を合わせて１つのディスプレイとして認識しているので、２つのディスプレイ１０２、１０４の全体に渡ってテストパターン８０が表示される。
【００１１】
なお、テストパターン８０は、グレースケールの再現性を評価するものであり、図１１に示すように、無彩色のパッチが所定のステップウエッジで形成されたグレースケール８６が中央部に設けられ、このグレースケール８６を挟んでシャドーパッチ８２と、ハイライトパッチ８４とが設けられている。
【００１２】
しかし、品質管理は、各ディスプレイ１０２、１０４ごとに行う必要があり、品質管理を行う各ディスプレイ１０２、１０４の大きさにテストパターン８０を調整して、それぞれに表示しなければならない。従来、この調整は、オペレータにより行われていた。このように、マルチディスプレイシステムにおいて、ディスプレイの品質管理を行う場合には、ディスプレイごとにテストパターン８０の大きさを調整する作業が必要となり、品質管理作業（以下、ＱＣ作業ともいう）が煩雑であるという問題点がある。特に、ディスプレイの数が多い場合には、煩雑さが増し、より一層問題となる。
【００１３】
本発明はかかる問題点に鑑みてなされたものであり、品質管理が容易にできるマルチディスプレイシステムの品質管理システムを提供することを目的とする。
【００１４】
【課題を解決するための手段】
前記課題を解決するために、本発明は、複数のディスプレイと、前記各ディスプレイの画素数と同じ画素数でテストパターンを表示するパターン信号を発生するテストパターン発生部と、入力された画像信号または前記パターン信号に基づいて前記各ディスプレイに入力画像または前記テストパターンを表示させる制御部とを有し、前記各ディスプレイの品質管理を行う場合に、前記制御部は、前記各ディスプレイごとに前記パターン信号に基づくテストパターンを表示させることを特徴とするマルチディスプレイシステムの品質管理システムを提供するものである。
【００１５】
本発明において、前記制御部は、１つのディスプレイの画面を分割した小画面の数をも含めた前記複数のディスプレイの画面数、および前記小画面をも含めた前記複数のディスプレイの画面の配置が設定される設定部と、前記複数のディスプレイのうち、前記テストパターンを表示するディスプレイの画面を選択する選択部とを有することが好ましい。また、本発明において、前記制御部は、前記設定部により設定された前記画面数および前記画面の配置、ならびに前記複数のディスプレイの全画素数に基づいて各ディスプレイの画面の画素数を決定することが好ましい。さらに、本発明において、前記選択部による前記各ディスプレイの画面の選択は、例えば、前記設定部により設定された前記各ディスプレイの識別番号を指定するか、または前記各ディスプレイに表示されたポインタにより指示することによって行われる。
【００１６】
この場合、前記テストパターンは、例えば、ＪＩＳ  Ｚ４７５２−２−５で規定されたグレースケールパターン、解像度パターン、画面歪みパターン、カラーパターンや、ＳＭＰＴＥ  ＲＰ（Ｒｅｃｏｍｍｅｎｄｅｄ  Ｐｒａｃｔｉｃｅ）−１３３で規定されたＳＭＰＴＥパターンの少なくとも１つであり、補間処理を施さずに前記ディスプレイに表示されることが好ましい。
【００１７】
【発明の実施の形態】
以下、本発明の実施例に係るマルチディスプレイシステムの品質管理システムについて、添付の図面を基に詳細に説明する。
図１は、本発明の第１の実施例に係るマルチディスプレイシステムの品質管理システムを示すブロック図である。本実施例においては、１台のＰＣ２０に２台のディスプレイ３２、３４が接続されたマルチディスプレイシステム１１を例に説明する。
【００１８】
図１に示すように、本実施例のマルチディスプレイシステム１１の品質管理システム１０は、複数のマルチディスプレイシステム１１と、管理装置６０と、ローカルプリンタ７０と、ネットワークプリンタ７２とを有し、複数設けられたマルチディスプレイシステム１１と、管理装置６０と、ネットワークプリンタ７２とが、バスＢを介して接続され、ネットワークを形成している。
【００１９】
マルチディスプレイシステム１１は、ＰＣ２０と、２つのディスプレイ３２、３４が設けられた表示デバイス３０とを有する。また、品質管理システム１０において、表示デバイス３０は表示画面の輝度が輝度計４０により測定される。
ＰＣ２０は、画像データ処理部２１と、テストパターン発生部２２と、制御部２４と、階調補正テーブル作成部２７と、ＱＣメモリ２９ａ、２９ｂと、輝度計制御部４２と、入力手段４４と、管理部５０と、出力部５２とを有する。なお、ＰＣ２０は、これ以外にもコンピュータが一般的に有するメモリ、ＣＰＵなどを有し、ＯＳにより管理されている。
【００２０】
画像データ処理部２１は、画像診断に用いられるモノクロ画像の画像データＤが入力されるものであり、入力された画像データＤに、ソフトウエア的に所定の画像処理を施すものである。この画像データＤは、画像読取装置、ＭＯ、ＣＤもしくはメモリーカードなどの各種の記憶媒体からデータを読み出すことができるメディアドライバ、またはネットワークなどから提供されるものである。
【００２１】
テストパターン発生部２２は、表示デバイス３０の品質管理をするときに、ディスプレイ３２、３４に表示させるＪＩＳなどの規格に規定されているテストパターンのテストパターン信号を発生させるものである。テストパターン発生部２２は、このテストパターンを記憶するとともに、ディスプレイ３２、３４の画素数に対応させてテストパターンのテストパターン信号を発生させ、拡大または縮小などの補間処理を施すことはない。その理由は、補間処理が施されると解像度の目視試験が正しく行えないからである。
【００２２】
制御部２４は、表示デバイス３０に接続されており、画像データＤをディスプレイ３２、３４による画像表示に対応する診断画像データに変換してディスプレイ３２、３４に供給し、診断画像をディスプレイ３２、３４に表示するものである。制御部２４は、画像データ処理部２１、テストパターン発生部２２、階調補正テーブル作成部２７および入力手段４４に接続されている。
【００２３】
図２は、本実施例のマルチディスプレイシステムの要部を示す模式図である。図２に示すように、制御部２４は、ＬＵＴ２４ａ、２４ｂと、設定部２５および選択部２６を有する。
ＬＵＴ２４ａ、２４ｂは、ディスプレイ３２、３４による画像表示に対応する診断画像データに変換してディスプレイ３２、３４に供給し、診断画像をディスプレイ３２、３４に表示させるものである。ディスプレイ３２、３４の数に対応して２つ設けられている。このＬＵＴ２４ａ、２４ｂはそれぞれ画像データ処理部２１およびテストパターン発生部２２に接続されている。さらに、ＬＵＴ２４ａ、２４ｂは、階調補正テーブル作成部２７に接続されている。
【００２４】
設定部２５は、ディスプレイ３２、３４の１つのディスプレイの画面を分割した小画面をも含めた画面数、および小画面をも含めた各画面の配置により決定されるディスプレイの構成を設定するものであり、各ディスプレイ３２、３４に識別番号（ＩＤ）を付与する。
さらに、ディスプレイ３２、３４の数およびディスプレイ３２、３４の配置、ならびに表示デバイス３０のディスプレイ３２、３４の全画素数に基づいて各ディスプレイ３２、３４の画素数を決定する機能も有する。なお、この決定した各ディスプレイ３２、３４の画素数をテストパターン発生部２２に出力して、テストパターン発生部２２から、この画素数と同じ画素数で表示されるテストパターンのテストパターン信号を制御部２４に出力させるようにしてもよい。
また、設定部２５には、入力手段４４が接続されている。入力手段４４は、例えば、キーボードやマウスからなる公知の入力装置のことである。
【００２５】
選択部２６は、テストパターンを表示させるディスプレイを選択するものである。選択数は、特に限定されるものではなく、選択数は、少なくとも１つである。ディスプレイは、例えば、設定部２５により設定された識別番号（ＩＤ）が入力手段４４により入力されることにより選択される。また、各ディスプレイ３２、３４に表示されるポインタをオペレータにより入力手段４４を用いて選択されるようにしてもよい。
【００２６】
階調補正テーブル作成部２７は、輝度計４０の測定結果に基づいて、ディスプレイ３２、３４に適正な輝度および所定の階調特性で診断画像が表示されるようにＬＵＴ２４ａ、２４ｂの階調補正テーブルを作成するものである。この階調補正テーブル作成部２７は、図示はしないが、テストパターン発生部２２と接続されており、各テストパターンの画像データを読み出すことができる。
【００２７】
ＱＣメモリ２９ａ、２９ｂ（図１参照）は、後述する品質管理結果、および階調特性の結果ならびにこれらの履歴を保持するものである。
【００２８】
また、図１に示すように、表示デバイス３０は、複数の表示画面を有するものであり、前述したように、本実施例では、２つのディスプレイ３２、３４を有している。表示デバイス３０は、画像をモノクロ表示することができれば、特に限定されるものではなく、液晶表示装置、プラズマディスプレイパネル、有機ＥＬ表示装置、およびＣＲＴ表示装置などを用いることができ、さらにカラー表示できるものを用いてモノクロ表示してもよく、この場合、フィルムのブルーベースの色調に近くなるようにブルー味を強調した色調でモノクロ表示することが好ましい。
【００２９】
図３は、表示デバイス３０の階調特性を示すものであり、縦軸に規格化輝度を対数でとり、横軸に規格化画像データをとって、表示デバイス３０の階調特性を示す片対数グラフである。
図３に示すように、表示デバイス３０のディスプレイ３２、３４に表示する画像の階調特性は、例えば、ＣＲ（Ｃｏｍｐｕｔｅｄ  Ｒａｄｉｏｇｒａｐｈｙ）診断装置で撮影された画像は、一般に、診断用フィルムのイメージャの階調特性に合わせてｌｏｇリニア（対数変換してリニアになる特性）の階調特性で表示することが好ましく、特にＦＣＲ（富士写真フイルム（株）製のコンピュータ制御による放射線画像取得システム）装置では、システムのイメージャに合わせて中間域がｌｏｇリニアになるＦＦｌｏｇリニアの階調特性で表示することが好ましい。
【００３０】
また、内視鏡画像では、元々がＣＲＴディスプレイに表示することを前提に画像データが生成されるため、γ＝２．  ２の階調特性で表示することが好ましい。さらにまた、近年では、観察者により観察しやすい画像を提供するために、人間の視覚の特性に合わせた階調特性である、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）のＧＳＤＦ（Ｇｒａｙｓｃａｌｅ  Ｓｔａｎｄａｒｄ  Ｄｉｓｐｌａｙ  Ｆｕｎｃｔｉｏｎ  ；グレースケール標準表示関数）に規定される階調特性に対応する階調特性での表示が望まれている。このＧＳＤＦに規定される階調特性は、特に低輝度側においてガンマを立てた特性、すなわち、人間の視覚の特性である、低輝度域におけるコントラスト弁別機能の低下を補う形にしたものである。このＧＳＤＦに規定される階調特性に従って表示される画像は、特に低輝度域における階調の再現性に優れたものとなるので、医用画像の観察に好適な画像表示が得られる。なお、ディスプレイ３２、３４に表示する画像の階調特性は、ユーザが設定した任意の階調特性であってもよい。
【００３１】
なお、本発明においては、本実施例のマルチディスプレイシステム１１の表示デバイス３０のディスプレイが１つ、すなわち、表示画面が１つであり、このディスプレイの表示画面を複数の表示領域（小画面）に分割して、分割した各表示領域に画像を表示するものも含む。この場合、表示領域（各ディスプレイの画面）の画素数は、ＯＳにより認識されており、入力手段４４により入力された分割数（画面数）、および表示領域（小画面を含む各画面）の配置に基づいて、各表示領域の画素数が算出される。これにより、表示画面が１つのディスプレイであっても、マルチディスプレイとして使用することができる。この場合においても、ＬＵＴは、分割する表示領域の数（画面数）だけ必要である。
【００３２】
輝度計４０は、ディスプレイ３２、３４の非表示時の画面の輝度、およびテストパターン８０の各部の輝度などを測定するものである。
輝度計制御部４２は、輝度計４０を制御するものである。
なお、本実施例においては、輝度計４０により測定された測定値を校正することが好ましい。さらに輝度値は、周囲光の影響を受けてしまうので、この周囲光の影響を補正することが好ましい。
【００３３】
管理部５０は、後述する品質管理における試験項目、および試験頻度などを設定し、試験履歴などを管理し、出力部５２は、ＱＣメモリ２９ａ、２９ｂに記憶された情報を所定の形式に整えて外部に出力する。
【００３４】
管理部５０は、例えば、試験項目の設定機能、試験頻度の設定機能、目視テストパターンの選択機能、基礎値および許容値の設定機能、アラート機能、試験の自動実行機能、履歴表示機能、レポート機能、ならびにレポーティング選択機能を有するものである。
【００３５】
試験項目の設定機能は、後述する品質管理における試験項目を設定するものであり、試験項目としては、例えば、目視試験、輝度測定、グレースケール、幾何学的歪み、空間解像度および低コントラスト解像度、画像の安定性およびアーチファクト、ならびにカラー関連事項が挙げられる。これらの試験項目のうち、ユーザにより、マルチディスプレイシステム１１において、必要な試験項目が選択され、これを管理部５０に設定する。
【００３６】
試験頻度の設定機能は、上記試験項目のうち、選択された項目の試験時期を決定し、管理部５０に設定するものである。例えば、目視試験を２ヶ月に１回行い、幾何学的歪みの試験を３ヶ月に１回行うと設定する。
基礎値および許容値の設定機能は、例えば、後述する不変性試験における基礎値およびその許容値を設定するものである。これ以外にも、階調特性を校正する際の各パッチの濃度に対しても基礎値および許容値を設定できる。
目視テストパターンの選択機能は、試験項目によっては、規格などにより複数のテストパターンが選択可能な場合があり、このとき、ユーザにより任意の目視テストパターンが選択される。
【００３７】
アラート機能は、試験頻度で設定された時期を過ぎた場合、例えば、表示デバイス３０のディスプレイ３２、３４に試験項目を表示するものである。
【００３８】
履歴表示機能は、上に示すように、設定された試験項目について、ディスプレイ３２、３４ごとに、試験時期および試験結果を各ＱＣメモリ２９ａ、２９ｂに記録させるものである。
レポート機能は、品質管理試験の結果をまとめて報告文書にするものであり、ＪＩＳ、ＤＩＮ（ドイツ工業規格）、およびＡＡＰＭ（アメリカ医用物理学会）などの各規格によって様式が異なる。このため、試験項目が同じであっても、報告する内容が異なり、報告文書の様式も異なる。なお、報告文書の様式としては、例えば、ＪＩＳ  Ｚ４７５２−２−５に規定されたものが挙げられる。
レポーティング選択機能は、上述の如く、各規格によって報告文書の形式が異なるので、報告文書の様式を管理部５０に設定するものである。これにより、出力部５２でＱＣメモリ２９ａ、２９ｂからデータを読み出して所定の様式にされてネットワークプリンタ７２またはローカルプリンタ７０に出力される。
【００３９】
管理装置６０は、ネットワーク上に存在するマルチディスプレイシステム１１の全ての品質管理結果、および輝度測定結果を管理するものであり、マルチディスプレイシステム１１の全ての品質管理結果、および輝度測定結果を、まとめて記憶しておくＱＣメモリ６２を有する。図１では、管理装置６０を独立に設けているが、任意の１つのマルチディスプレイシステム１１のＰＣ２０を管理装置として併用してもよい。
なお、ローカルプリンタ７０は、各マルチディスプレイシステム１１または管理装置６０に直接接続されたプリンタであり、後述する評価結果、およびレポートなどを出力するものである。
【００４０】
ネットワークプリンタ７２は、バスＢに接続されたネットワーク上に存在するものであり、ローカルプリンタ７０と同様に後述する評価結果、およびレポートなどを出力するものである。
【００４１】
なお、本実施例のマルチディスプレイシステム１１においては、必要に応じて階調特性の校正ができればよく、輝度計４０、輝度計制御部４２、および階調補正テーブル作成部２７は、必ずしも設ける必要はない。
【００４２】
次に、本実施例のマルチディスプレイシステムの品質管理方法について図４（ａ）および（ｂ）に基づいて説明する。
本実施例においては、品質管理の一例として、目視検査について説明する。なお、本実施例においては、１つのマルチディスプレイシステム１１について説明するが、ネットワーク上に存在する他のマルチディスプレイシステムにおいても、同様であるので、その詳細な説明は省略する。
【００４３】
図４（ａ）は、本実施例のマルチディスプレイシステムの表示デバイスを示す模式図であり、図４（ｂ）は、本実施例のマルチディスプレイにおけるテストパターン表示を示す模式図である。なお、図４（ａ）における括弧内の２つの数値の組み合わせは、表示デバイス３０における表示画面上の各点の座標を示すものである。
【００４４】
図４（ａ）に示すように、２つのディスプレイ３２，３４を有する表示デバイス３０においては、ＯＳにより、２つのディスプレイ３２，３４を合わせた表示画面（Ｈ×Ｖ）の大きさが認識されている。この場合、２つのディスプレイが並列に配置されており、設定部２５（図２参照）にディスプレイの数およびディスプレイの配置を設定する。ディスプレイ３２の識別番号を＃１とし、ディスプレイ３４の識別番号を＃２とし、これらの識別番号＃１および＃２が設定部２５に設定される。
【００４５】
この場合、各ディスプレイ３２、３４の画素数は、（Ｈ／２）×Ｖとなる。表示デバイス３０におけるディスプレイ３２の表示領域は、Ｏ（０，０）〜Ｆ（（Ｈ／２）−１，  Ｖ−１）であり、ディスプレイ３２の表示領域は、Ｅ（Ｈ／２，０）〜Ｇ（Ｈ−１，Ｖ−１）である。制御部２４がこれらの表示領域を認識する。これにより、各ディスプレイ３２、３４の画素数および表示位置が特定される。
次に、オペレータにより入力手段４４からテストパターンを表示するディスプレイ３２、３４の識別番号が選択部２６に入力され、例えば、２つのディスプレイ３２、３４が選択される。
次に、選択されたディスプレイ３２、３４の画素数に応じたテストパターン信号をテストパターン発生部２２（図１参照）から出力させる。次に、制御部２４のＬＵＴ２４ａ、２４ｂを入力して、図４（ｂ）に示すように、次に、各ディスプレイ３２、３４にテストパターン８０を表示する。
【００４６】
このように、本実施例のマルチディスプレイシステム１１においては、各ディスプレイ３２、３４ごとにテストパターン８０を表示することができる。このため、従来のように、図１０に示すように表示デバイス１００のディスプレイ１０２、１０４の全面に渡ってテストパターン８０が表示されることがない。よって、本実施例においては、オペレータによりテストパターン８０の大きさをディスプレイ３２、３４の大きさに合わせる必要がなくなり、目視検査を容易に行うことができる。また、複数のディスプレイ３２、３４にテストパターン８０を表示することができるので、複数のディスプレイをまとめて目視検査することができ、目視検査の作業効率が向上する。
【００４７】
また、本実施例のマルチディスプレイシステム１１においては、画像データ処理部２１に入力された画像データＤが、制御部２４のＬＵＴ２４ａ、２４ｂに入力されて所定の解像度、輝度、および階調特性でディスプレイ３２、３４に表示される。さらに、前述のＬＵＴ２４ａ、２４ｂは、ディスプレイ３２、３４に表示させる画像を所定の階調特性に変換するものの、テストパターン８０については、拡大および縮小などの補間はしない。このため、画素数の差を補間することがない。
このように、本実施例においては、複数のディスプレイについて、ディスプレイごとに、このディスプレイの画素数と同じ画素数のテストパターンを表示して目視試験ができるので、正確な判定ができ、正確な品質管理を行うことができる。
【００４８】
さらに、本実施例のマルチディスプレイシステム１１における目視検査においては、上述の如く、２つのディスプレイ３２、３４にテストパターン８０を表示させたが、本発明は、これに限定されるものではない。図５は、本実施例におけるマルチディスプレイへのテストパターンの他の表示方法を示す模式図である。図５に示すように、例えば、目視検査を行うディスプレイ３２だけにテストパターン８０を表示し、目視検査を行わないディスプレイ３４には、黒べたを表示するか、またはディスプレイ３４の電源を切るようにしてもよい。これにより、検査対象のディスプレイ３２が判別しやすくなる。
【００４９】
なお、テストパターン８０については、図１１に示すものに限定されるものではなく、図６（ａ）乃至（ｃ）に示すような目視検査に用いられるテストパターンを用いることもできる。
図６（ａ）に示すテストパターン８０ａは、解像度の再現性を評価するものであり、垂直方向のバーパターンを有するパッチ８７と、水平方向のバーパターンを有するパッチ８８とが４隅および中央に設けられているものである。
【００５０】
図６（ｂ）に示すテストパターン８０ｂは、カラーの再現性を評価するものであり、赤のパッチ９０Ｒ、青のパッチ９０Ｂおよび緑のパッチ９０Ｇが設けられているものである。
図６（ｃ）に示すテストパターン８０ｃは、画像歪みを評価するものであり、正方形格子９１が設けられ、さらに表示領域で最大となる円９２が設けられているものである。また、このテストパターン８０ｃには、表示領域の周縁部に沿って、境界を示すマーク９３が設けられる。
【００５１】
図７（ａ）はＳＭＰＴＥパターンを示す模式図、（ｂ）および（ｃ）は（ａ）のＳＭＰＴＥパターンの要部拡大図である。
図７（ａ）に示すように、ＳＭＰＴＥパターン８０ｄは、テストパターンの内周に沿って、外周パターン１１０が形成されている。この外周パターン１１０の内側にクロスハッチパターン１１２が形成されている。更に外周パターン１１０の中央および四隅に、パターン領域１１４が設けられており、このパターン領域１１４には、高コントラストパターン１１６および低コントラストパターン１１８がそれぞれ２列ずつ配置されている。高コントラストパターン１１６および低コントラストパターン１１８は、左右方向および上下方向に伸びたストライプ状のパターンである。
【００５２】
四隅のパターン領域１１４に隣接して、中央のパターン領域１１４を挟んで図面の上下方向に対向してブラックウインド１２０およびホワイトウインド１２２が設けられている。
ブラックウインド１２０は、図面において左右方向に伸びる矩形状を呈しており、その中央部に設けられた左右に伸びる矩形状の黒いパッチ１２０ａと、それ以外の白い領域１２０ｂとからなる。
ホワイトウインド１２２は、図面において左右方向に伸びる矩形状を呈しており、その中央部に設けられた左右に伸びる矩形状の白いパッチ１２２ａと、それ以外の黒い領域１２２ｂとからなる。
【００５３】
パターン領域１１４の下側には、第１及び第２の小コントラスト変化パターン１２４、１２６が設けられている。
第１の小コントラストパターン１２４は、図７（ｂ）に示すように、正方形状のパターンであり、その中央部に設けられたデータレベルが５％の正方形状のパッチ１２４ａと、その周囲のデータレベルが０％（黒）の領域１２４ｂとからなる。
第２の小コントラストパターン１２６は、図７（ｃ）に示すように、正方形状のパターンであり、その中央部に設けられたデータレベルが９５％の正方形状のパッチ１２６ａと、その周囲のデータレベルが１００％（白）の領域１２６ｂとからなる。なお、データレベルとは、黒（シャドウ）を０％とし、白（ハイライト）を１００％として表されるものである。
【００５４】
さらに、図７（ａ）に示すように、パターン領域１１４の周囲を囲むようにして、第１の小コントラストパターン１２４に隣接する領域から第２の小コントラストパターン１２６に隣接する領域に渡ってグレースケールパターン１２８が形成されている。このグレースケールパターン１２８は、第１の小コントラストパターン１２４に隣接する領域にデータレベルが０％（黒）のパッチが設けられ、順にデータレベルが１０％、２０％、３０％、４０％、５０％、５０％、６０％、７０％、８０％、９０％および１００％（白）のパッチが設けられている。なお、これら以外の領域は、背景１３０であって、その輝度は、パターン全体の輝度の５０％の輝度である。
【００５５】
なお、ＳＭＰＴＥパターンの目視試験における主な検査項目は、グレースケールおよび解像度である。グレースケールについては、オペレータによって、第１および第２の小コントラストパターン１２４、１２６が識別可能か否かで良否が判断される。この場合、ディスプレイ３２、３４のグレースケール特性が悪い場合には、オペレータにより、中央部のパッチ１２４ａ、１２６ａが識別できない。
また、解像度については、高コントラストパターン１１６および低コントラストパターン１１８についても、オペレータにより、ストライプが識別可能か否かで良否が判断される。
このＳＭＰＴＥパターンの目視試験の目視結果は、オペレータによりＰＣ２０（図１参照）に設けられた入力手段４４から日付とともに、入力され、ＱＣメモリ２９ａ、２９ｂに記録される。
【００５６】
また、テストパターンについては、上述の例に限定されるものではなく、胸部または膝部などの臨床画像パターンも挙げられる。なお、臨床画像パターンについては、補間処理などの画像処理を施して表示してもよい。また、テストパターン発生部２２は、外部の機器に接続され、この機器からテストパターン信号が入力されるようにしてもよい。
【００５７】
さらに、テストパターン発生部２２は、制御部２５から出力されたディスプレイ３２、３４の画素数に基づいてテストパターンを発生させるものに限定されるものではなく、予めディスプレイ３２、３４の画素数（解像度）に応じたテストパターンを持ち、この中から選択して、テストパターンを出力するようにしてもよい。この場合、画素数が同じでも、ディスプレイ３２、３４の形状により画面の縦横比が変わるので、それに対応したテストパターンが記憶される。
【００５８】
本実施例においては、品質管理の一例として、ＳＭＰＴＥパターンを用いた目視試験について説明したが、これ以外にも、輝度の不変性試験として、最高輝度（Ｌｍａｘ）、最低輝度（Ｌｍｉｎ）および表面反射輝度（Ｌａｍｂ）などを試験項目とした品質管理を行ってもよく、その試験頻度を、例えば、３ヶ月に１回に設定してもよい。
【００５９】
次に、ディスプレイ３２、３４の階調特性の校正方法について説明する。
不変性試験（ＪＩＳ  Ｚ４７５２−２−５）においては、ディスプレイの階調特性については規定されていないが、診断画像においては、上述の如く、観察者により観察し易い画像を提供するために、ディスプレイの階調特性を所定の階調特性にすることが望まれている。このため、ディスプレイの階調特性について校正を行う必要がある。
【００６０】
本実施例において、図１１に示すテストパターン８０を用いて、階調特性の校正を行う場合について説明する。
先ず、図４（ｂ）に示すように、表示デバイス３０のディスプレイ３２、３４ごとにテストパターン８０を表示する。
【００６１】
次に、ディスプレイ３２について、輝度計４０を用いてテストパターン８０のグレースケール８６の各パッチの輝度を測定し、この測定結果を階調補正テーブル作成部２７に記録する。ディスプレイ３２におけるグレースケール８６の各パッチの輝度と、各パッチをディスプレイ３２に表示するのに必要な入力信号（画像データ信号）の大きさとの関係を調べ、階調特性（以下、測定階調特性という）を求める。例えば、ＤＩＣＯＭのＧＳＤＦの階調特性（図３参照）で表示する場合、測定階調特性とＧＳＤＦの階調特性とを比較して、グレースケール８６の階調特性がＧＳＤＦの階調特性となるように、階調補正テーブルを作成する。
この場合、グレースケール８６の各パッチにおけるディスプレイ３２への入力信号と輝度との関係を求め、各パッチ間を、２次で補間することにより階調補正テーブルを作成する。
【００６２】
次に、制御部２４のＬＵＴ２４ａの階調補正テーブルを新たなものに置き換えてＬＵＴ２４ａを更新する。
次に、更新されたＬＵＴ２４ａを用いて、ディスプレイ３２にテストパターン８０を表示させて、再度輝度を測定し、ディスプレイ３２の測定階調特性を求め、測定階調特性がＧＳＤＦの階調特性になっているかを確認する。
このとき、測定階調特性が所定の誤差範囲でＧＳＤＦの階調特性であれば、校正を終了する。
一方、測定階調特性が所定の誤差範囲でＧＳＤＦの階調特性でなければ、上述の如く、測定階調特性が所定の誤差範囲でＧＳＤＦの階調特性となるまで、階調補正テーブルの作成を繰り返し行う。
【００６３】
表示デバイス３０のディスプレイ３４についても、ディスプレイ３２と同様にして、図４（ｂ）に示すように、テストパターン８０を表示して、ディスプレイ３４の階調特性の校正を行う。
なお、ディスプレイ３２、３４の階調特性の校正結果はＱＣメモリ２９ａ、２９ｂに記録される。また、この校正結果は、管理装置６０のＱＣメモリ６２に各ディスプレイ３２、３４ごとに記録させてもよい。
【００６４】
次に、本発明の第２の実施例について図８に基づいて説明する。図８は、本発明の第２の実施例に係るマルチディスプレイシステムの品質管理システムの表示デバイスを示す模式図である。なお、本実施例において、図１乃至図３に示す第１の実施例と同一の構成物には、同一の符号を付してその詳細な説明は省略する。なお、図８における括弧内の２つの数値の組み合わせは、表示デバイス３０ａにおける表示画面内の点の座標を示すものである。
【００６５】
本実施例は、第１の実施例のマルチディスプレイシステム１１に比して、表示デバイス３０ａが４つのディスプレイ３２、３４、３６、３８を有し、これら４つのディスプレイ３２〜３８に応じて４つのＬＵＴ（図示せず）が制御部２４に設けられている点が異なり、それ以外の構成は、第１の実施例のマルチディスプレイシステム１１と同様であるので、その詳細な説明は省略する。
本実施例の表示デバイス３０ａは、４つの同じ大きさのディスプレイ３２〜３８からなり、全体でＨ１  ×Ｖ１  の画素数を有するものである。４つのディスプレイ３２〜３８は矩形状に２次元的に配置されている。４つのディスプレイ３２〜３８には、設定部２５により、それぞれ識別番号＃１〜＃４が付与されている。本実施例においても、ＯＳが認識しているのは、全体の画素数（Ｈ１  ×Ｖ１  ）である。
【００６６】
この場合、表示デバイス３０ａにおける４つのディスプレイ３２〜３８の画素数および配置を設定部２５に設定することにより、表示デバイス３０ａにおける各ディスプレイ３２〜３８の表示領域を求めることができる。
図８に示す例では、表示デバイス３０ａにおいて、ディスプレイ３２は、Ｏ（０，０）〜Ｒ１  （（Ｈ１  ／２）−１，（Ｖ１  ／２）−１）が表示領域であり、ディスプレイ３４は、Ｐ（Ｈ１  ／２，０）〜Ｓ（Ｈ１  −１，Ｖ１  ／２）が表示領域であり、ディスプレイ３６は、Ｑ（０，Ｖ１  ／２）〜Ｕ（（Ｈ１  ／２）−１，Ｖ１  −１）が表示領域であり、ディスプレイ３８は、Ｒ２  （Ｈ１  ／２，Ｖ１  ／２）〜Ｗ（Ｈ１  −１，Ｖ１  −１）が表示領域である。
このようにして、表示デバイス３０ａにおける４つのディスプレイ３２〜３８の画素数および表示位置が設定される。そして、第１の実施例と同様にして、識別番号（ＩＤ）を入力するか、またはマウスのポインタなどで指示して、テストパターンを表示するディスプレイ３２〜３８を選択することにより、ディスプレイ３２〜３８ごとにテストパターンを表示することができる。これにより、本実施例においても、第１の実施例と同様の効果を得ることができる。さらに、第１の実施例と同様にして、各ディスプレイ３２〜３８について階調特性の校正を行うこともできる。
【００６７】
次に、本発明の第３の実施例について図９に基づいて説明する。図９は、本発明の第３の実施例に係るマルチディスプレイシステムの品質管理システムの表示デバイスを示す模式図である。なお、本実施例において、図８に示す第２の実施例と同一の構成物には、同一の符号を付してその詳細な説明は省略する。また、図９においても括弧内の２つの数値の組み合わせは、表示デバイス３０ｂにおける表示画面内の点の座標を示すものである。
本実施例の表示デバイス３０ｂは、第２の実施例の表示デバイス３０ａに比して、表示デバイス３０ｂに設けられた４つのディスプレイ３２、３４、３６、３８が、矩形状に直線的に配置されている点が異なり、それ以外の構成は、第２の実施例の表示デバイス３０ａと同様であるので、その詳細な説明は省略する。なお、本実施例の表示デバイス３０ｂは、図１乃至図３に示す第１の実施例のマルチディスプレイシステムに適用できるものである。
【００６８】
本実施例の表示デバイス３０ｂは、４つの同じ大きさのディスプレイ３２〜３８からなり、全体でＨ２  ×Ｖ２  の画素数を有するものである。この場合、設定部２５により、４つのディスプレイ３２〜３８にそれぞれ識別番号＃１〜＃４が付与されている。本実施例においても、ＯＳが認識しているのは、全体の画素数（Ｈ２  ×Ｖ２  ）である。
【００６９】
この場合、矩形状に直線的に配置されている４つのディスプレイ３２〜３８の画素数および配置を設定部２５に設定することにより、表示デバイス３０ｂにおける各ディスプレイ３２〜３８の表示領域を求めることができる。
図９に示す例では、表示デバイス３０ｂにおいて、ディスプレイ３２は、Ｏ（０，０）〜ｊ（（Ｈ２  ／４）−１，Ｖ２  −１）が表示領域であり、ディスプレイ３４は、ｐ（Ｈ２  ／４，０）〜ｋ（（Ｈ２  ／２）−１，Ｖ２  −１）が表示領域であり、ディスプレイ３６は、ｑ（Ｈ２  ／２，０）〜ｍ（（３Ｈ２  ／４）−１，Ｖ２  −１）が表示領域であり、ディスプレイ３８は、ｒ（３Ｈ２  ／４，０）〜ｎ（Ｈ２  −１，Ｖ２  −１）が表示領域である。
【００７０】
このようにして、表示デバイス３０ｂにおける４つのディスプレイ３２〜３８の大きさおよび表示位置が設定される。そして、第１の実施例と同様にして、識別番号（ＩＤ）またはマウスのポインタなどにより、テストパターンを表示するディスプレイ３２〜３８を選択することにより、ディスプレイ３２〜３８ごとにテストパターンを表示することができる。これにより、本実施例においても、第１の実施例と同様の効果を得ることができる。さらに、第１の実施例と同様にして、各ディスプレイ３２〜３８について階調特性の校正を行うこともできる。
【００７１】
以上、本発明のマルチディスプレイシステムの品質管理システムについて詳細に説明したが、本発明は上記実施例に限定はされず、本発明の要旨を逸脱しない範囲において、各種の改良および変更を行ってもよいのはもちろんである。
【００７２】
【発明の効果】
以上、詳細に説明したように、本発明のマルチディスプレイシステムの品質管理システムによれば、複数のディスプレイのうち、所定のディスプレイに同じ画素数でテストパターンを表示することができるので、各ディスプレイについて目視検査などの品質管理を容易にできる。
【図面の簡単な説明】
【図１】本発明の第１の実施例に係るマルチディスプレイシステムの品質管理システムを示すブロック図である。
【図２】本実施例のマルチディスプレイシステムの要部を示す模式図である。
【図３】縦軸に規格化輝度を対数でとり、横軸に規格化画像データをとって、表示デバイスの階調特性を示す片対数グラフである。
【図４】（ａ）は、本実施例のマルチディスプレイシステムの表示デバイスを示す模式図であり、（ｂ）は、本実施例のマルチディスプレイにおけるテストパターン表示を示す模式図である。
【図５】本実施例におけるマルチディスプレイへのテストパターンの他の表示方法を示す模式図である。
【図６】（ａ）乃至（ｃ）は目視検査に用いられるテストパターンを示す模式図である。
【図７】（ａ）はＳＭＰＴＥパターンを示す模式図、（ｂ）および（ｃ）は（ａ）のＳＭＰＴＥパターンの要部拡大図である。
【図８】本発明の第２の実施例に係るマルチディスプレイシステムの品質管理システムの表示デバイスを示す模式図である。
【図９】本発明の第３の実施例に係るマルチディスプレイシステムの品質管理システムの表示デバイスを示す模式図である。
【図１０】従来のマルチディスプレイシステムにおける品質管理の一例として、目視検査をするためにテストパターンを表示した様子を示す模式図である。
【図１１】テストパターンを示す模式図である。
【符号の説明】
１０  品質管理システム
１１  マルチディスプレイシステム
２０  パーソナルコンピュータ（ＰＣ）
２１  画像データ処理部
２２  テストパターン発生部
２４  制御部
２４ａ、２４ｂ  ルックアップテーブル（ＬＵＴ）
２５  設定部
２６  選択部
２７  階調補正テーブル作成部
２９ａ、２９ｂ  ＱＣメモリ
３０、３０ａ、３０ｂ、１００  表示デバイス
３２、３４、３６、３８  ディスプレイ
４０  輝度計
４２  輝度計制御部
５０  管理部
５２  出力部
６０  管理装置
６２  ＱＣメモリ
７０  ローカルプリンタ
７２  ネットワークプリンタ
８０、８０ａ、８０ｂ、８０ｃ  テストパターン
８０ｄ  ＳＭＰＴＥテストパターン
１０２、１０４  ディスプレイ
【図１】
2004245899.tif 000003
【図２】
2004245899.tif 000004
【図３】
2004245899.tif 000005
【図４】
2004245899.tif 000006
【図５】
2004245899.tif 000007
【図６】
2004245899.tif 000008
【図７】
2004245899.tif 000009
【図８】
2004245899.tif 000010
【図９】
2004245899.tif 000011
【図１０】
2004245899.tif 000012
【図１１】
2004245899.tif 000013